(57)【要約】【課題】加湿器の小型化を図れるようにする。【解決手段】多孔質体３に保持させてある水を気化させて加湿可能に構成してある加湿器であって、多孔質体を金属材料で形成してあり、気化用の水を多孔質体に滴下供給可能な給水部５と、多孔質体に向けて送風可能な送風機７とを備えると共に、多孔質体との接触で、その多孔質体に熱伝導可能な発熱体６を備えている。【選択図】図１
2008292079.tif 000002
【特許請求の範囲】
【請求項１】
多孔質体に保持させてある水を気化させて加湿可能に構成してある加湿器であって、
前記多孔質体を金属材料で形成してあり、
気化用の水を前記多孔質体に滴下供給可能な給水部と、前記多孔質体に向けて送風可能な送風機とを備えると共に、
前記多孔質体との接触で、その多孔質体に熱伝導可能な発熱体を備えている加湿器。
【請求項２】
多孔質体に保持させてある水を気化させて加湿可能に構成してある加湿器であって、
気化用の水を前記多孔質体に滴下供給可能な給水部と、前記多孔質体に向けて送風可能な送風機とを備えると共に、
通電により発熱可能な金属又は炭素材で構成してある多孔質発熱体と、その多孔質発熱体に通電可能な一対の電極部材とを設けて、前記多孔質体を構成してある加湿器。
【請求項３】
前記多孔質体の表面に光触媒を設けてあると共に、前記多孔質体に向けて紫外線を照射可能な紫外線ランプを設けてある請求項１又は２記載の加湿器。
【請求項４】
前記給水部を、気化用の純水を前記多孔質体に滴下供給可能に設けてある請求項１〜３のいずれか１項記載の加湿器。
【発明の詳細な説明】
【技術分野】
【０００１】
本発明は、多孔質体に保持させてある水を気化させて加湿可能に構成してある加湿器に関する。
【背景技術】
【０００２】
上記加湿器では、従来、貯水槽の水を吸水して保持させる気化フィルターと言われる多孔質体を設けてあり、この多孔質体は、例えば不織布を広い表面積を確保できるように蛇腹状に折り込んで構成してある。
そして、多孔質体に保持している水を気化させながら、その多孔質体に気化用の水を補給できるように、多孔質体の一部を貯水槽の水に浸漬してある（例えば、特許文献１参照）。
【０００３】
【特許文献１】特開２００５−３４４９７９号公報
【発明の開示】
【発明が解決しようとする課題】
【０００４】
このため、気化用の水を貯めておく貯水槽の存在によって、加湿器が大型化する欠点がある。
本発明は上記実情に鑑みてなされたものであって、加湿器の小型化を図れるようにすることを目的とする。
【課題を解決するための手段】
【０００５】
本発明の第１特徴構成は、多孔質体に保持させてある水を気化させて加湿可能に構成してある加湿器であって、前記多孔質体を金属材料で形成してあり、気化用の水を前記多孔質体に滴下供給可能な給水部と、前記多孔質体に向けて送風可能な送風機とを備えると共に、前記多孔質体との接触で、その多孔質体に熱伝導可能な発熱体を備えている点にある。
【０００６】
〔作用及び効果〕
気化用の水を多孔質体に滴下供給可能な給水部を備えると共に、多孔質体との接触で、その多孔質体に熱伝導可能な発熱体を備えているので、発熱体に接触している多孔質体に気化用の水を滴下供給して、その水を発熱体から多孔質体に伝導された熱で気化させることができる。
また、多孔質体を金属材料で形成してあるので、樹脂材料などで形成してある多孔質体に比べて、多孔質体の伝熱性が優れ、その多孔質体に向けて送風可能な送風機を備えているので、多孔質体に滴下供給された水の気化を促進して、加湿性能を向上できる。
従って、多孔質体の一部を貯水槽の水に特に浸漬することなく、つまり、大きな貯水槽を特に設けることなく、多孔質体に保持している水を気化させながら、その多孔質体に気化用の水を必要量のみ少しづつ補給することができ、加湿器の小型化を図れる。
しかも、多孔質体に保持する水に、気化のための熱が発熱体から直接伝わるために、例えば貯水槽の水を加熱するのに比べて、熱損失が少なく、効率良く熱エネルギーが使われる。
【０００７】
本発明の第２特徴構成は、多孔質体に保持させてある水を気化させて加湿可能に構成してある加湿器であって、気化用の水を前記多孔質体に滴下供給可能な給水部と、前記多孔質体に向けて送風可能な送風機とを備えると共に、通電により発熱可能な金属又は炭素材で構成してある多孔質発熱体と、その多孔質発熱体に通電可能な一対の電極部材とを設けて、前記多孔質体を構成してある点にある。
【０００８】
〔作用及び効果〕
気化用の水を多孔質体に滴下供給可能な給水部を備えると共に、通電により発熱可能な多孔質発熱体と、その多孔質発熱体に通電可能な一対の電極部材とを設けて、多孔質体を構成してあるので、通電により発熱している多孔質発熱体に気化用の水を滴下供給して、その水を多孔質発熱体の熱で気化させることができる。
また、多孔質発熱体を金属又は炭素材で構成してあるので、耐久性を確保し易いと共に、その多孔質発熱体に向けて送風可能な送風機を備えているので、多孔質発熱体に滴下供給された水の気化を促進して、加湿性能を向上できる。
従って、多孔質体の一部を貯水槽の水に特に浸漬することなく、つまり、大きな貯水槽を特に設けることなく、多孔質体に保持している水を気化させながら、その多孔質体に気化用の水を必要量のみ少しづつ補給することができ、加湿器の小型化を図れる。
しかも、前記第１の特徴構成と同様に、気化のための加熱を効率良く行えて経済的である。
【０００９】
本発明の第３特徴構成は、前記多孔質体の表面に光触媒を設けてあると共に、前記多孔質体に向けて紫外線を照射可能な紫外線ランプを設けてある点にある。
【００１０】
〔作用及び効果〕
多孔質体の表面に光触媒を設けてあるので、光触媒作用によって多孔質体に接する空気中の有機汚染化学物質や細菌類などを除去しながら加湿できる。
また、表面に光触媒を設けてある多孔質体に向けて紫外線を照射可能な紫外線ランプを設けてあるので、光触媒作用を積極的に促進できる。
【００１１】
本発明の第４特徴構成は、前記給水部を、気化用の純水を前記多孔質体に滴下供給可能に設けてある点にある。
【００１２】
〔作用及び効果〕
給水部を、気化用の純水を多孔質体に滴下供給可能に設けてあるので、水道水などを供給する場合に比べて、硬度成分やシリカ成分がスケールとして析出するおそれが少なく、気化効率低下の原因になる多孔質体の目詰まりが生じ難いので、多孔質体に対するメンテナンスの手間を軽減できる。
【発明を実施するための最良の形態】
【００１３】
以下に本発明の実施の形態を図面に基づいて説明する。
〔第１実施形態〕
図１，図２は、室内に設置する本発明による加湿器を示し、外装ケース１の内側に、カートリッジ式水タンク２と、水タンク２の水を気化用の水として多孔質体３に滴下供給可能なヘッダ４を備えた給水部５と、多孔質体３との接触で、その多孔質体３に熱伝導可能な発熱体６と、多孔質体３に向けて送風する送風機７と、波長が３８０ｎｍ程度の紫外線を多孔質体３に向けて照射する紫外線ランプ８とを備えている。
【００１４】
そして、発熱体６で加熱された多孔質体３に気化用の水を滴下供給しながら、吸い込み口９から吸い込んだ室内空気を送風機７で多孔質体３に向けて吹き付けて、多孔質体３に保持させてある水を気化させることにより、水蒸気を多量に含む加湿空気を吹き出し口１０から室内に放出して、室内空気を加湿できるように構成してある。
【００１５】
前記発熱体６は通電により発熱するシーズヒータで構成してあり、金属材料の一例としての鋼製の矩形金網状の多孔質体３の互いに対向する一対の側辺部の夫々にシーズヒータ６を熱伝導可能に接続して、各シーズヒータ６を長手方向が水平方向に沿う姿勢で、かつ、多孔質体３が送風機７による送風路を横断する姿勢で、外装ケース１の内側に取り付けてある。
【００１６】
そして、紫外線ランプ８から照射された紫外線で活性化する酸化チタン（TiO2）などの光触媒を多孔質体３の表面に塗布して、多孔質体３に接する空気中の有機汚染化学物質および細菌類などを光触媒作用によって除去しながら室内の空気を加湿できるようにしてある。
【００１７】
尚、金属チタン製のメッシュタイプの金網、又は、金属チタン製のラス網タイプの金網、又は、不織布状に加工した金属チタンで矩形の多孔質体３を構成して、その金属チタンの表面に酸化チタン（TiO2）からなる光触媒被膜を形成してあっても良い。
【００１８】
〔第２実施形態〕
図３は、本発明による加湿器の別実施形態を示し、通電により発熱可能な多孔質発熱体６と、多孔質発熱体６に通電可能な一対の電極部材１１とを設けて、気化用の水を保持させる多孔質体３を多孔質発熱体６で構成してある。
【００１９】
前記多孔質発熱体６（多孔質体３）は、ニクロム合金などの電熱合金で矩形の金網状に形成して、その空隙部に気化用の水を保持させるように構成してあり、その多孔質発熱体６の互いに対向する一対の側辺部の夫々に電極部材１１を接続して、各電極部材１１を長手方向が水平方向に沿う姿勢で、外装ケース１の内側に取り付けてある。
【００２０】
そして、紫外線ランプ８から照射された紫外線で活性化する酸化チタン（TiO2）などの光触媒を多孔質発熱体６（多孔質体３）の表面に塗布して、多孔質発熱体６（多孔質体３）に接する空気中の有機汚染化学物質および細菌類などを光触媒作用によって除去しながら室内の空気を加湿できるようにしてある。
【００２１】
尚、多孔質発熱体６（多孔質体３）を、金属チタン製のメッシュタイプの金網、又は、金属チタン製のラス網タイプの金網、又は、不織布状に加工した金属チタンで矩形に形成して、その金属チタンの表面に酸化チタン（TiO2）からなる光触媒被膜を形成してあっても良い。
その他の構成は第１実施形態と同様である。
【００２２】
〔その他の実施形態〕
１．本発明による加湿器は、給水部を、気化用の純水を多孔質体に滴下供給可能に設けてあっても良い。
２．本発明による加湿器は、耐熱性と防水性とを備えた材料や、耐熱性と防水性と絶縁性とを備えた材料で発熱体を被覆してあっても良い。
３．本発明による加湿器は、第１実施形態において、多孔質材料を格子状又はハニカム状に形成してある多孔質体を設けてあっても良い。
４．本発明による加湿器は、第２実施形態において、多孔質材料を格子状又はハニカム状に形成してある多孔質発熱体を設けてあっても良い。
５．本発明による加湿器は、第２実施形態において、炭素材で構成してある多孔質発熱体を設けてあっても良い。
【図面の簡単な説明】
【００２３】
【図１】加湿器内部を示す側面図
【図２】加湿器内部を示す正面図
【図３】第２実施形態の加湿器内部を示す正面図
【符号の説明】
【００２４】
３  多孔質体
５  給水部
６  発熱体（多孔質発熱体）
７  送風機
８  紫外線ランプ
１１  電極部材
【図１】
2008292079.tif 000003
【図２】
2008292079.tif 000004
【図３】
2008292079.tif 000005